(57)【要約】【課題】ネットワークに接続不能な地域に配置された装置とネットワークに接続可能な地域に配置された装置との間でデータの受け渡しを可能とする。【解決手段】線路９の周辺に配置された固定無線通信装置１３−１、１３−２、・・・、１３−ｎの各々は、列車８に搭載された移動無線通信装置１１が自装置に所定の距離以下に近づいた際に、移動無線通信装置１１に対し計測装置１２から取得した計測データを送信する。移動無線通信装置１１は、ネットワーク７に接続可能な地域を移動中に、固定無線通信装置１３−１、１３−２、・・・、１３−ｎの各々から受信した計測データを、ネットワーク７を介してサーバ装置１４に送信する。【選択図】図１
2019102981.tif 000002
【特許請求の範囲】
【請求項１】
移動体に搭載された無線通信装置であって、ネットワークに接続不能時に、外部の装置から無線送信されてくるデータを受信して記憶し、前記ネットワークに接続可能時に、前記記憶したデータを前記ネットワークを介して所定の装置に送信する無線通信装置。
【請求項２】
移動中にデータの送信要求を無線送信し、当該送信要求の応答として前記外部の装置から無線送信されてくるデータを受信して記憶する
請求項１に記載の無線通信装置。
【請求項３】
前記ネットワークは無線ネットワークであり、前記記憶したデータを無線通信により前記所定の装置に送信する
請求項１又は２に記載の無線通信装置。
【請求項４】
前記記憶したデータを前記外部の装置に応じて異なる前記所定の装置に送信する
請求項１乃至３のいずれか１項に記載の無線通信装置。
【請求項５】
移動体に搭載されて移動する無線通信装置と、移動しない無線通信装置とを備え、
前記移動しない無線通信装置はデータを無線送信し、
前記移動する無線通信装置は、ネットワークに接続不能時に、前記移動しない無線通信装置から無線送信されてくるデータを受信して記憶し、前記ネットワークに接続可能時に、前記記憶したデータを前記ネットワークを介して所定の装置に送信する
無線通信システム。
【請求項６】
前記移動体は所定の運行ルートを所定の運行スケジュールに従い運行し、
前記移動しない無線通信装置は前記運行スケジュールに従い移動する前記移動体が自装置と所定の距離以下に近づく期間中にデータを無線送信する
請求項５に記載の無線通信システム。
【発明の詳細な説明】
【技術分野】
【０００１】
本発明は、外部の装置から無線送信されるデータを所定の装置に送信する無線通信装置及び無線通信システムに関する。
【背景技術】
【０００２】
鉄道システムを構成する各種機器の保守に関わるデータを収集するシステムが提案されている。
【０００３】
例えば特許文献１には、加速度センサが検出した鉄道のレールの振動に関する情報を、レール沿いに一定間隔で設けられたリーダに無線送信するとともに、各リーダからＬＡＮを介して情報を収集するシステムが提案されている。
【先行技術文献】
【特許文献】
【０００４】
【特許文献１】特開２００７−１４７４１２号公報
【発明の概要】
【発明が解決しようとする課題】
【０００５】
設備の保守等の目的で、計測装置により継続的に物理量の計測を行う場合がある。計測装置による計測結果を収集するために作業員が計測装置の設置場所まで訪れるのは非効率であるため、ネットワークを介して計測装置による計測結果を収集する仕組みが実用化されている。
【０００６】
しかしながら、有線ネットワークを構成するためのケーブルの敷設や無線ネットワークを構築するためのアンテナの設置が困難な山間部等の地域に配置されている計測装置はネットワークに接続できない。従って、それらの計測装置からのデータ収集が困難である。また、それらの計測装置に対し、ファームウェアのアップデート等の目的でデータを送信することも困難である。
【０００７】
上記の背景に鑑み、本発明は、ネットワークに接続不能な地域に配置された装置とネットワークに接続可能な地域に配置された装置との間でデータの受け渡しを可能とする手段を提供する。
【課題を解決するための手段】
【０００８】
上述した課題を解決するために、本発明は、移動体に搭載された無線通信装置であって、ネットワークに接続不能時に、外部の装置から無線送信されてくるデータを受信して記憶し、前記ネットワークに接続可能時に、前記記憶したデータを前記ネットワークを介して所定の装置に送信する無線通信装置を第１の態様として提供する。
【０００９】
第１の態様の無線通信装置によれば、ネットワークに接続不能な地域に配置された外部の装置から、ネットワークに接続可能な地域に配置された所定の装置に、データの受け渡しが行われる。
【００１０】
第１の態様の無線通信装置において、移動中にデータの送信要求を無線送信し、当該送信要求の応答として前記外部の装置から無線送信されてくるデータを受信して記憶する、という構成が第２の態様として採用されてもよい。
【００１１】
第２の態様の無線通信装置によれば、外部の装置は無線通信装置から送信要求を受信するまでデータを送信する必要がないため、データ送信のために無駄な電力を消費しない。
【００１２】
第１又は第２の態様の無線通信装置において、前記ネットワークは無線ネットワークであり、前記記憶したデータを無線通信により前記所定の装置に送信する、という構成が第３の態様として採用されてもよい。
【００１３】
第３の態様の無線通信装置によれば、移動体が無線ネットワークに接続可能な地域内を移動中に所定の装置にデータが送信される。
【００１４】
第１乃至第３の態様の無線通信装置において、前記記憶したデータを前記外部の装置に応じて異なる前記所定の装置に送信する、という構成が第４の態様として採用されてもよい。
【００１５】
第４の態様の無線通信装置によれば、複数の外部の装置から発信されたデータが、それらの発信元に応じた所定の装置に引き渡される。
【００１６】
また、本発明は、移動体に搭載されて移動する無線通信装置と、移動しない無線通信装置とを備え、前記移動しない無線通信装置はデータを無線送信し、前記移動する無線通信装置は、ネットワークに接続不能時に、前記移動しない無線通信装置から無線送信されてくるデータを受信して記憶し、前記ネットワークに接続可能時に、前記記憶したデータを前記ネットワークを介して所定の装置に送信する無線通信システムを第５の態様として提供する。
【００１７】
第５の態様の無線通信システムによれば、ネットワークに接続不能な地域に配置された移動しない無線通信装置から、ネットワークに接続可能な地域に配置された所定の装置に、データの受け渡しが行われる。
【００１８】
第５の態様の無線通信システムにおいて、前記移動体は所定の運行ルートを所定の運行スケジュールに従い運行し、前記移動しない無線通信装置は前記運行スケジュールに従い移動する前記移動体が自装置と所定の距離以下に近づく期間中にデータを無線送信する、という構成が第６の態様として採用されてもよい。
【００１９】
第６の態様の無線通信システムによれば、移動しない無線通信装置は、移動体が自装置と所定の距離以下に近づく期間以外はデータを無線送信する必要がないため、データ送信のために無駄な電力を消費しない。
【図面の簡単な説明】
【００２０】
【図１】一実施形態に係る無線通信システムの全体構成を示した図。
【図２】一実施形態に係る移動無線通信装置と固定無線通信装置のハードウェア構成を示したブロック図。
【図３】一実施形態に係る固定無線通信装置の機能的構成を示したブロック図。
【図４】一実施形態に係る移動無線通信装置の機能的構成を示したブロック図。
【図５】一実施形態に係る移動無線通信装置と固定無線通信装置が行う処理のシーケンスを示した図。
【図６】一実施形態に係る移動無線通信装置に記憶される計測値テーブルのデータ構成を示した図。
【図７】一実施形態に係る移動無線通信装置が行う処理のフローを示した図。
【図８】一実施形態に係る移動無線通信装置に記憶される送信先テーブルのデータ構成を示した図。
【発明を実施するための形態】
【００２１】
［実施形態］
以下に本発明の一実施形態に係る無線通信システム１を説明する。図１は、無線通信システム１の全体構成を模式的に示した図である。
【００２２】
図１に示されるネットワーク７は移動体通信ネットワーク等の広域無線通信ネットワークである。図１に示される地域のうち、地域Ａはネットワーク７を含むいずれのネットワークにも接続不能な地域であり、地域Ａ以外は少なくともネットワーク７に接続可能な地域である。
【００２３】
図１に示される符号９の付された線は線路であり、線路９の上を列車８（移動体の一例）が走行する。列車８は地域Ａと地域Ａ以外の地域を通過する。
【００２４】
列車８には移動無線通信装置１１が搭載されている。移動無線通信装置１１は、ネットワーク７に接続する機能を備えている。
【００２５】
線路９の周辺には、ｎ個（ただし、ｎは任意の自然数）の計測装置、すなわち計測装置１２−１、計測装置１２−２、・・・、計測装置１２−ｎが設置されている。以下、これらの計測装置を「計測装置１２」と総称する。
【００２６】
計測装置１２は所定の物理量を継続的又は断続的に計測する装置である。計測装置１２が計測する物理量は、線路９を含む鉄道設備の状態を示す物理量、線路９の周辺の気象を示す物理量、線路９の周辺地域の土砂の動きを示す物理量等のいずれであってもよい。また、１つの計測装置１２が２以上の物理量を計測してもよい。
【００２７】
計測装置１２の各々には、移動しない無線通信装置が接続されている。すなわち、計測装置１２−１には固定無線通信装置１３−１が、計測装置１２−２には固定無線通信装置１３−２が、・・・、計測装置１２−ｎには固定無線通信装置１３−ｎが接続されている。以下、これらの移動しない無線通信装置を「固定無線通信装置１３」と総称する。固定無線通信装置１３の少なくとも一部は地域Ａ内に設置されている。
【００２８】
固定無線通信装置１３と移動無線通信装置１１は、所定の距離以下に近づいた相手と無線通信を行う機能を有している。固定無線通信装置１３と移動無線通信装置１１の無線通信に適した通信規格としては、例えばＬｏＲａＷＡＮ等のＬＰＷＡ（Low Power Wide Area）ネットワーク規格があるが、これに限られない。なお、固定無線通信装置１３はネットワーク７に接続する機能は有さない。
【００２９】
ネットワーク７には、ｍ個（ただし、ｍは任意の自然数）のサーバ装置、すなわちサーバ装置１４−１、サーバ装置１４−２、・・・、サーバ装置１４−ｍが接続されている。以下、これらのサーバ装置を「サーバ装置１４」と総称する。なお、ネットワーク７とサーバ装置１４は直接接続されてもよいし、他のネットワークを介して接続されてもよい。
【００３０】
無線通信システム１は、上述した移動無線通信装置１１、計測装置１２、固定無線通信装置１３、サーバ装置１４により構成される。
【００３１】
図２は、移動無線通信装置１１と固定無線通信装置１３のハードウェア構成を示したブロック図である。移動無線通信装置１１はコンピュータであり、プロセッサ１１１と、メモリ１１２と、第１無線通信ユニット１１３と、第２無線通信ユニット１１４を備える。
【００３２】
プロセッサ１１１は、メモリ１１２に記憶されているプログラムに従った処理を実行することによって、移動無線通信装置１１の各部の動作を制御する。メモリ１１２は各種データを記憶する。第１無線通信ユニット１１３は固定無線通信装置１３と無線通信を行う。第２無線通信ユニット１１４は無線通信によりネットワーク７に接続し、ネットワーク７を介してサーバ装置１４と通信を行う。
【００３３】
固定無線通信装置１３はコンピュータであり、プロセッサ１３１と、メモリ１３２と、無線通信ユニット１３３と、入出力ＩＦ（Interface）１３４を備える。プロセッサ１３１は、メモリ１３２に記憶されているプログラムに従った処理を実行することによって、固定無線通信装置１３の各部の動作を制御する。メモリ１３２は各種データを記憶する。無線通信ユニット１３３は移動無線通信装置１１の第１無線通信ユニット１１３と無線通信を行う。入出力ＩＦ１３４は、計測装置１２と有線接続されており、計測装置１２と固定無線通信装置１３との間のデータの受け渡しを行う。
【００３４】
図３は、固定無線通信装置１３の機能的構成を示したブロック図である。固定無線通信装置１３のプロセッサ１３１が本実施形態に係るプログラムに従った処理を実行することにより、固定無線通信装置１３のハードウェアであるコンピュータは、取得部１３０１と、無線通信部１３０２と、記憶部１３０３を備える装置として機能する。
【００３５】
取得部１３０１は、主としてプロセッサ１３１の制御下で動作する入出力ＩＦ１３４により実現され、計測装置１２からデータを取得する。取得部１３０１が計測装置１２から取得するデータには、計測装置１２による計測結果を示すデータ（以下、「計測データ」という）が含まれる。
【００３６】
無線通信部１３０２は、主としてプロセッサ１３１の制御下で動作する無線通信ユニット１３３により実現され、移動無線通信装置１１との間でデータの送受信を行う。無線通信部１３０２が移動無線通信装置１１に送信するデータには、取得部１３０１が計測装置１２から取得し、記憶部１３０３に記憶されている計測データが含まれる。
【００３７】
記憶部１３０３は、主としてプロセッサ１３１の制御下で動作するメモリ１３２により実現され、各種データを記憶する。記憶部１３０３が記憶するデータには、取得部１３０１が計測装置１２から取得した計測データが含まれる。
【００３８】
図４は、移動無線通信装置１１の機能的構成を示したブロック図である。移動無線通信装置１１のプロセッサ１１１が本実施形態に係るプログラムに従った処理を実行することにより、移動無線通信装置１１のハードウェアであるコンピュータは、第１無線通信部１１０１と、第２無線通信部１１０２と、記憶部１１０３を備える装置として機能する。
【００３９】
第１無線通信部１１０１は、主としてプロセッサ１１１の制御下で動作する第１無線通信ユニット１１３により実現され、固定無線通信装置１３との間でデータの送受信を行う。
【００４０】
第２無線通信部１１０２は、主としてプロセッサ１１１の制御下で動作する第２無線通信ユニット１１４により実現され、ネットワーク７を介してサーバ装置１４との間でデータの送受信を行う。
【００４１】
記憶部１１０３は、主としてプロセッサ１１１の制御下で動作するメモリ１１２により実現され、各種データを記憶する。記憶部１１０３が記憶するデータには、第１無線通信部１１０１が固定無線通信装置１３から受信した計測データが含まれる。
【００４２】
図５は、移動無線通信装置１１と固定無線通信装置１３が所定の距離以下に近づいた際に移動無線通信装置１１と固定無線通信装置１３が行う処理のシーケンスを示した図である。
【００４３】
移動無線通信装置１１は第１無線通信部１１０１により、継続的に、もしくは短い周期で断続的に、応答要求を送信する（ステップＳ２０１）。列車８の移動に伴い移動無線通信装置１１が固定無線通信装置１３に所定の距離以下に近づくと、固定無線通信装置１３は移動無線通信装置１１から送信された応答要求を受信する（ステップＳ１０１）。
【００４４】
固定無線通信装置１３は、応答要求に対する応答を送信する（ステップＳ１０２）。移動無線通信装置１１は固定無線通信装置１３から送信された応答を受信する（ステップＳ２０２）。その後、移動無線通信装置１１と固定無線通信装置１３の間で無線通信接続の確立が行われる（ステップＳ１０３、Ｓ２０３）。
【００４５】
続いて、固定無線通信装置１３は確立された無線通信接続によって、記憶部１３０３に記憶されている計測データを移動無線通信装置１１に送信する（ステップＳ１０４）。なお、固定無線通信装置１３が送信する計測データは、計測値と計測時刻を示す。移動無線通信装置１１は固定無線通信装置１３から送信された計測データを受信する（ステップＳ２０４）。ステップＳ２０４において移動無線通信装置１１が計測データの受信に失敗した場合、ステップＳ１０３及びＳ２０３において確立された無線通信接続により、その旨が固定無線通信装置１３に通知され、固定無線通信装置１３による計測データの再送信が行われる。
【００４６】
固定無線通信装置１３は、移動無線通信装置１１に送信した計測データを記憶部１３０３から削除する（ステップＳ１０５）。
【００４７】
移動無線通信装置１１は、固定無線通信装置１３から受信した計測データを記憶部１１０３に記憶する（ステップＳ２０５）。
【００４８】
図６は、移動無線通信装置１１の記憶部１１０３に記憶される計測データを格納するためのテーブル（以下、「計測値テーブル」という）のデータ構成を例示した図である。計測値テーブルには、複数の固定無線通信装置１３の各々から受信された計測データの各々に応じたレコードが格納される。計測値テーブルに格納されるレコードの各々には、計測データの送信元の固定無線通信装置１３に対応する計測装置１２を識別する計測装置ＩＤ（Identifier）と、計測データが示す計測時刻と、計測データが示す計測値が格納される。
【００４９】
図５を参照し、移動無線通信装置１１と固定無線通信装置１３が行う処理のシーケンスの説明を続ける。ステップＳ２０５に続き、移動無線通信装置１１は所定時間だけ待機した後（ステップＳ２０６）、ステップＳ２０１に処理を戻し、応答要求の送信を再開する。
【００５０】
なお、ステップＳ２０６において移動無線通信装置１１が待機する所定時間とは、列車８の移動に伴い、移動無線通信装置１１と、移動無線通信装置１１が計測データの送受信を行った相手の固定無線通信装置１３とが、無線通信が可能な所定の距離より離れるために要する時間である。従って、移動無線通信装置１１から送信される応答要求が、既に計測データの送受信を行った相手の固定無線通信装置１３に再び受信されることはなく、図５のシーケンスに従った処理が無駄に繰り返されることがない。
【００５１】
以上が、移動無線通信装置１１と固定無線通信装置１３が所定の距離以下に近づいた際に移動無線通信装置１１と固定無線通信装置１３が行う処理である。
【００５２】
図７は、移動無線通信装置１１がネットワーク７を介してサーバ装置１４に計測データを送信するために行う処理のフローを示した図である。図７のフローに従う処理は、例えば、移動無線通信装置１１の記憶部１１０３に新たな計測データが格納される毎に実行される。
【００５３】
まず、移動無線通信装置１１は第２無線通信部１１０２により、ネットワーク７の電波の検出を試みる（ステップＳ３０１）。ネットワーク７の電波が検出されなかった場合（ステップＳ３０１；ＮＯ）、移動無線通信装置１１は所定時間だけ待機した後（ステップＳ３０２）、ステップＳ３０１の処理を繰り返す。
【００５４】
ネットワーク７の電波が検出された場合（ステップＳ３０１；ＹＥＳ）、移動無線通信装置１１は第２無線通信部１１０２により、ネットワーク７との間で無線通信接続の確立を行う（ステップＳ３０３）。
【００５５】
続いて、移動無線通信装置１１はネットワーク７を介して、記憶部１１０３に記憶されている計測データをサーバ装置１４に送信する（ステップＳ３０４）。
【００５６】
本実施形態において、移動無線通信装置１１は計測データを、その計測データを生成した計測装置１２に応じたサーバ装置１４に送信する。そのため、移動無線通信装置１１の記憶部１１０３には、予め、図８に示すテーブル（以下、「送信先テーブル」という）が記憶されている。送信先テーブルには、複数の計測装置１２の各々に応じたレコードが格納されている。送信先テーブルに格納されているレコードには、計測装置１２を識別する計測装置ＩＤと、計測装置ＩＤにより識別される計測装置１２により生成された計測データの送信先のサーバ装置１４を識別するサーバ装置ＩＤが格納される。サーバ装置ＩＤは、例えばネットワークアドレスである。
【００５７】
ステップＳ３０４（図７）において、移動無線通信装置１１は送信先テーブルを参照し、送信対象の計測データの送信先のサーバ装置１４を特定し、特定したサーバ装置１４に対し計測データを送信する。
【００５８】
移動無線通信装置１１は、ステップＳ３０４においてサーバ装置１４に対し送信した計測データを記憶部１１０３から削除する（ステップＳ３０５）。
【００５９】
以上が、移動無線通信装置１１がネットワーク７を介してサーバ装置１４に計測データを送信するために行う処理である。
【００６０】
上述した無線通信システム１によれば、ネットワークに接続不能な地域Ａ内に配置されている計測装置１２からサーバ装置１４へデータの受け渡しが行われる。
【００６１】
［変形例］
上述した実施形態は様々に変形することができる。以下にそれらの変形の例を示す。なお、上述した実施形態および以下に示す変形例は適宜組み合わされてもよい。
【００６２】
（１）上述した実施形態において、移動無線通信装置１１と固定無線通信装置１３は無線通信接続を確立し、双方向にデータの送受信を行う。そのため、固定無線通信装置１３は送信したデータが移動無線通信装置１１に受信されたか否かを確認することができる。固定無線通信装置１３から送信されたデータが十分に高い確率で移動無線通信装置１１によって受信されるならば、移動無線通信装置１１と固定無線通信装置１３が無線通信接続を確立することは必須条件ではない。
【００６３】
例えば、移動無線通信装置１１と固定無線通信装置１３が無線通信接続を確立せず、固定無線通信装置１３が、移動無線通信装置１１から送信された応答要求の受信をトリガに、同じ計測データを複数回、繰り返し送信する構成が採用されてもよい。この場合、固定無線通信装置１３は送信した計測データが移動無線通信装置１１に受信されたか否かを確認することができないが、複数回に渡り送信された計測データの全てが移動無線通信装置１１によって受信されない確率が十分に低ければ、固定無線通信装置１３は送信した計測データが移動無線通信装置１１に受信されたものとみなし、当該計測データを計測値テーブルから削除することができる。
【００６４】
また、固定無線通信装置１３が、列車８が通過する毎に同じ計測データを繰り返し送信することにより、計測データがいずれかの列車８に搭載された移動無線通信装置１１により受信される確率を高める構成が採用されてもよい。この場合、例えば、固定無線通信装置１３は送信回数の格納欄を有する計測値テーブルを記憶し、列車８が通過する毎に送信した計測データの送信回数を１だけカウントアップする。そして、送信回数が所定回数に達した計測データは、いずれかの列車８の固定無線通信装置１３により受信されたものとみなし、計測値テーブルから削除する。
【００６５】
また、移動無線通信装置１１と固定無線通信装置１３の間に無線通信接続が確立されていなくても、移動無線通信装置１１が計測データの受信に成功した場合、その旨の受信通知を送信する構成が採用されてもよい。この場合、固定無線通信装置１３は受信通知を受信した場合、受信通知により移動無線通信装置１１による受信が確認された計測データを計測値テーブルから削除する。
【００６６】
（２）上述した実施形態において、応答要求は移動無線通信装置１１が送信するが、これに代えて、固定無線通信装置１３が応答要求を送信してもよい。この場合、固定無線通信装置１３から送信された応答要求を移動無線通信装置１１が受信したことをトリガに、移動無線通信装置１１と固定無線通信装置１３の間の無線通信接続の確立が行われる。
【００６７】
ただし、その場合、固定無線通信装置１３は継続的に、もしくは短い周期で断続的に応答要求を送信する必要がある。固定無線通信装置１３がバッテリーで動作する等の理由により電力供給量の制限を受ける場合、応答要求の送信回数が少ない程、電力消費量が節減されて望ましい。そこで、固定無線通信装置１３が列車８の運行スケジュールを示すデータ（以下、「運行スケジュールデータ」という）を記憶し、運行スケジュールデータに基づき、列車８が自装置と所定の距離以下に近づく期間中に応答要求を送信する構成が採用されてもよい。また、固定無線通信装置１３が、列車８が自装置と所定の距離以下に近づく期間中に応答要求を送信することなく計測データを送信する構成が採用されてもよい。
【００６８】
（３）上述した実施形態において、固定無線通信装置１３はネットワーク７と通信する機能を備えないものとしたが、固定無線通信装置１３がネットワーク７と通信する機能を備えてもよい。その場合、地域Ａ内に配置された固定無線通信装置１３はネットワーク７を介してサーバ装置１４に計測データを送信することはできないが、地域Ａ以外に配置された固定無線通信装置１３はネットワーク７を介してサーバ装置１４に計測データを送信することができる。
【００６９】
（４）上述した実施形態において、移動体は列車８であるものとしたが、ドローン等の飛行体、道路上を走行する自動車、水上を航行する船舶等の列車以外の移動体に移動無線通信装置１１が搭載されてもよい。
【００７０】
（５）上述した実施形態において、移動無線通信装置１１と固定無線通信装置１３の間で送受信されるデータは計測データであるものとしたが、移動無線通信装置１１と固定無線通信装置１３の間で送受信されるデータの種類は計測データに限られない。
【００７１】
また、移動無線通信装置１１から固定無線通信装置１３にデータが送信されてもよい。例えば、上述した変形例（２）で述べた運行スケジュールデータは、運行スケジュールの変更に伴い更新される必要がある。移動無線通信装置１１が更新後の運行スケジュールデータを固定無線通信装置１３に送信することで、運行スケジュールデータの更新が可能となる。また、計測装置１２又は固定無線通信装置１３のファームウェアを更新する必要がある場合、移動無線通信装置１１から固定無線通信装置１３にファームウェアのアップデート用のプログラムが送信されてもよい。
【００７２】
（６）上述した実施形態において、ネットワーク７は無線ネットワークであり、移動無線通信装置１１とネットワーク７は無線通信により接続されるものとしたが、移動無線通信装置１１とネットワーク７が有線により接続されてもよい。
【００７３】
例えば、列車８が駅に停車している間に、移動無線通信装置１１の第２無線通信ユニット１１４の端子にネットワークケーブルが接続されることによって、移動無線通信装置１１がネットワーク７に接続されてもよい。
【００７４】
（７）上述した実施形態において、移動無線通信装置１１は第１無線通信ユニット１１３と第２無線通信ユニット１１４という２つの無線通信ユニットを備えるものとしたが、移動無線通信装置１１が固定無線通信装置１３との間で行う無線通信の方式と、移動無線通信装置１１がネットワーク７との間で行う無線通信の方式が共通であれば、移動無線通信装置１１は無線通信ユニットを１つ備えれば足りる。
【００７５】
（８）上述した実施形態において、移動無線通信装置１１のハードウェアはコンピュータであり、プロセッサがプログラムに従う処理を実行することにより、図４に示される構成を備える装置が実現されるものとした。これに代えて、移動無線通信装置１１が、図４に示される構成を備える専用装置であってもよい。
【００７６】
また、上述した実施形態において、固定無線通信装置１３のハードウェアはコンピュータであり、プロセッサがプログラムに従う処理を実行することにより、図３に示される構成を備える装置が実現されるものとした。これに代えて、固定無線通信装置１３が、図３に示される構成を備える専用装置であってもよい。
【符号の説明】
【００７７】
１…無線通信システム、７…ネットワーク、８…列車、９…線路、１１…移動無線通信装置、１２…計測装置、１３…固定無線通信装置、１４…サーバ装置、１１１…プロセッサ、１１２…メモリ、１１３…第１無線通信ユニット、１１４…第２無線通信ユニット、１３１…プロセッサ、１３２…メモリ、１３３…無線通信ユニット、１３４…入出力ＩＦ、１１０１…第１無線通信部、１１０２…第２無線通信部、１１０３…記憶部、１３０１…取得部、１３０２…無線通信部、１３０３…記憶部。
【図１】
2019102981.tif 000003
【図２】
2019102981.tif 000004
【図３】
2019102981.tif 000005
【図４】
2019102981.tif 000006
【図５】
2019102981.tif 000007
【図６】
2019102981.tif 000008
【図７】
2019102981.tif 000009
【図８】
2019102981.tif 000010